(57)【要約】【課題】簡単な構成で除湿運転と加湿運転が切り換え可能な低コストな調湿装置を提供する。【解決手段】デシカントロータ１と、室内からの空気をデシカントロータ１を介して室内に戻すための第１通路６と、第１通路６に空気を流す第１ファン７と、室外からの空気をデシカントロータ１を介して室外に排気するための第２通路８と、第２通路８に空気を流す第２ファン９と、第１,第２通路６,８の一部を形成するケース２と、ケース２内に設けられ、第１,第２通路６,８を仕切る仕切板３とを備える。上記ケース２と仕切板３およびヒータ４をデシカントロータ１の回転軸を中心に回動させることによって、第１通路６をヒータ４を介してデシカントロータ１を通る再生通路とし第２通路８を吸着通路とするか、または、第２通路８をヒータ４を介してデシカントロータ１を通る再生通路とし第１通路６を吸着通路とするかを切り換える。【選択図】図１
2005140392.tif 000002
【特許請求の範囲】
【請求項１】
デシカントロータ(１)と、
室内からの空気を上記デシカントロータ(１)を介して室内に戻すための第１通路(６)と、
上記第１通路(６)に空気を流す第１ファン(７)と、
室外からの空気を上記デシカントロータ(１)を介して室外に排気するための第２通路(８)と、
上記第２通路(８)に空気を流す第２ファン(９)と、
上記第１通路(６)をヒータ(４)を介して上記デシカントロータ(１)を通る再生通路とし上記第２通路(８)を吸着通路とするか、または、上記第２通路(８)をヒータ(４)を介して上記デシカントロータ(１)を通る再生通路とし上記第１通路(６)を吸着通路とするかを切り換える切換手段とを備えたことを特徴とする調湿装置。
【請求項２】
請求項１に記載の調湿装置において、
上記第１,第２通路(６,８)の一部を形成すると共に、上記ヒータ(４)が内部に配置されたケース(２)と、
上記ケース(２)内に設けられ、上記第１,第２通路(６,８)を仕切る仕切板(３)とを備え、
上記切換手段は、上記仕切板(３)と上記ヒータ(４)を上記デシカントロータ(１)の回転軸を中心に回動させる手段(５)であることを特徴とする調湿装置。
【請求項３】
請求項１に記載の調湿装置において、
上記第１,第２通路(６,８)の一部を形成すると共に、上記ヒータ(４)が内部に配置されたケース(２)と、
上記ケース(２)内に設けられ、上記第１,第２通路(６,８)を仕切る仕切板(３)とを備え、
上記切換手段は、上記ケース(２)と上記仕切板(３)および上記ヒータ(４)を上記デシカントロータ(１)の回転軸を中心に回動させる手段(５)であることを特徴とする調湿装置。
【請求項４】
請求項２または３に記載の調湿装置において、
上記第１通路(６)は、室内からの空気が上記デシカントロータ(１)の第１領域の一方の側から他方の側に通過した後にその第１領域に隣接する上記デシカントロータ(１)の第２領域の他方の側から一方の側に通過するように設けられた通路であって、
上記第２通路(８)は、室外からの空気が上記デシカントロータ(１)の第３領域の一方の側から他方の側に通過した後にその第３領域に隣接する上記デシカントロータ(１)の第４領域の他方の側から一方の側に通過するように設けられた通路であり、
上記ケース(２)は、上記第１通路(６)の上記デシカントロータ(１)の上記第１領域から上記第２領域までの第１経路と、上記第２通路(８)の上記デシカントロータ(１)の上記第３領域から上記第４領域までの第２経路が形成され、上記ケース内の上記第１経路と上記第２経路を上記仕切板(３)が仕切っていることを特徴とする調湿装置。
【請求項５】
請求項１に記載の調湿装置において、
上記第１通路(６)内および上記第２通路(８)内に上記ヒータ(４Ａ,４Ｂ)が夫々配置されると共に、
上記切換手段が上記ヒータ(４)のいずれか一方をオンし他方をオフするヒータ制御手段(２０a)であることを特徴とする調湿装置。
【発明の詳細な説明】
【技術分野】
【０００１】
この発明は、加湿運転と除湿運転を行う調湿装置に関する。
【背景技術】
【０００２】
従来の第１の調湿装置としては、吸着部で室内から除去した水分を凝縮させずに、再生部から空気と共に室外に排気して、室内を除湿するものがある(例えば、特開２００２−１９１９２６号公報(特許文献１)参照)。
【０００３】
また、従来の第２の調湿装置としては、図５に示すものがある。この第２の調湿装置は、壁１３０に取り付けられたケーシング１１０と、デシカントロータ１０１と、除湿通路１０６と、除湿ファン１０７と、再生通路１０８と、再生ファン１０９とを備え、略扇形状のヒータケース１０２内にヒータ１０４を配置している。上記加湿ファン１０７により室内から吸い込まれた空気がデシカントロータ１０２を通過するときに水分を吸着して、除湿された空気を室内に戻す一方、再生ファン１０９により室内から吸い込まれた空気がヒータ１０４に加熱された後にデシカントロータ１０２を通過するときに放出された水分を含む空気をダクト１３１を介して室外に排出して、室内を除湿する。
【０００４】
ところで、上記従来の第１,第２の調湿装置において、除湿運転だけでなく、外気の水分を吸着して室内に放出する無給水の加湿を行う無給水加湿運転機能を兼ね備えるものが考えられる。しかしながら、そのような除湿運転／加湿運転を行う調湿装置では、風経路を切り換える必要があるため、どうしても風回路の構成が複雑になり、部品点数が増加して、コストが高くつくという問題がある。
【特許文献１】特開２００２−１９１９２６号公報
【発明の開示】
【発明が解決しようとする課題】
【０００５】
そこで、この発明の目的は、簡単な構成で除湿運転と加湿運転が切り換え可能な低コストな調湿装置を提供することにある。
【課題を解決するための手段】
【０００６】
上記目的を達成するため、この発明の調湿装置は、デシカントロータと、室内からの空気を上記デシカントロータを介して室内に戻すための第１通路と、上記第１通路に空気を流す第１ファンと、室外からの空気を上記デシカントロータを介して室外に排気するための第２通路と、上記第２通路に空気を流す第２ファンと、上記第１通路をヒータを介して上記デシカントロータを通る再生通路とし上記第２通路を吸着通路とするか、または、上記第２通路をヒータを介して上記デシカントロータを通る再生通路とし上記第１通路を吸着通路とするかを切り換える切換手段とを備えたことを特徴とする。
【０００７】
上記構成の調湿装置によれば、上記切換手段によって、第２通路をヒータを介してデシカントロータを通る再生通路とし、第２ファンにより室外から吸い込まれた空気がヒータを介してデシカントロータを通過することにより、室外空気を用いてデシカントロータの再生を行い、再生により生じた水分を含む空気を室外に排気する。一方、上記切換手段によって、第１通路を吸着通路とし、第１ファンにより室内から吸い込まれた空気がデシカントロータを通過することにより、室内空気から水分をデシカントロータに吸着して、除湿された空気を室内に戻す。これによって、貯水タンクや排水管などを用いることなく、室内を連続して除湿することが可能となる。
【０００８】
または、上記切換手段によって、第１通路をヒータを介してデシカントロータを通る再生通路とし、第１ファンにより室内から吸い込まれた空気がヒータを介してデシカントロータを通過することにより、デシカントロータから室内空気に水分を放出し、加湿された空気を室内に戻す。一方、上記切換手段によって、第２通路を吸着通路とし、第２ファンにより室外から吸い込まれた空気がデシカントロータを通過することにより、室外空気から水分をデシカントロータに吸着して、除湿された空気を室外に排出する。これによって、室外空気に含まれる水分を利用して、無給水加湿を行うことが可能となる。
【０００９】
したがって、簡単な構成で除湿運転と加湿運転が切り換え可能な低コストな調湿装置を実現できる。
【００１０】
また、一実施形態の調湿装置は、上記第１,第２通路の一部を形成すると共に、上記ヒータが内部に配置されたケースと、上記ケース内に設けられ、上記第１,第２通路を仕切る仕切板とを備え、上記切換手段は、上記仕切板と上記ヒータを上記デシカントロータの回転軸を中心に回動させる手段であることを特徴とする。
【００１１】
上記実施形態の調湿装置によれば、上記ケース内の仕切板とヒータをデシカントロータの回転軸を中心に回動させる。この場合、ケースを回動しないで仕切板とヒータのみを回動させる簡単な手段によって、第１通路をヒータを介してデシカントロータを通る再生通路とし第２通路を吸着通路とするか、または、第２通路をヒータを介してデシカントロータを通る再生通路とし第１通路を吸着通路とするかを切り換えることができる。
【００１２】
また、一実施形態の調湿装置は、上記第１,第２通路の一部を形成すると共に、上記ヒータが内部に配置されたケースと、上記ケース内に設けられ、上記第１,第２通路を仕切る仕切板とを備え、上記切換手段は、上記ケースと上記仕切板および上記ヒータを上記デシカントロータの回転軸を中心に回動させる手段であることを特徴とする。
【００１３】
上記実施形態の調湿装置によれば、上記ケースと仕切板およびヒータをデシカントロータの回転軸を中心に回動させる。この場合、ケースに仕切板とヒータを一体化することによって、ケースを回動させることにより仕切板とヒータも同時に回動させることが可能になる。したがって、このような簡単な手段によって、第１通路をヒータを介してデシカントロータを通る再生通路とし第２通路を吸着通路とするか、または、第２通路をヒータを介してデシカントロータを通る再生通路とし第１通路を吸着通路とするかを切り換えることができる。
【００１４】
また、一実施形態の調湿装置は、上記第１通路は、室内からの空気が上記デシカントロータの第１領域の一方の側から他方の側に通過した後にその第１領域に隣接する上記デシカントロータの第２領域の他方の側から一方の側に通過するように設けられた通路であって、上記第２通路は、室外からの空気が上記デシカントロータの第３領域の一方の側から他方の側に通過した後にその第３領域に隣接する上記デシカントロータの第４領域の他方の側から一方の側に通過するように設けられた通路であり、上記ケースは、上記第１通路の上記デシカントロータの上記第１領域から上記第２領域までの第１経路と、上記第２通路の上記デシカントロータの上記第３領域から上記第４領域までの第２経路が形成され、上記ケース内の上記第１経路と上記第２経路を上記仕切板が仕切っていることを特徴とする。
【００１５】
上記実施形態の調湿装置によれば、上記第１通路の一部である第１経路および第２通路の一部である第２経路を、デシカントロータの他方の側を覆うようにしたケースと仕切板の簡単な構成にすることによって形成できる。
【００１６】
また、一実施形態の調湿装置は、上記第１通路内および上記第２通路内に上記ヒータが夫々配置されると共に、上記切換手段が上記ヒータのいずれか一方をオンし他方をオフするヒータ制御手段であることを特徴とする。
【００１７】
上記実施形態の調湿装置によれば、上記第１通路内および第２通路内に夫々配置されたヒータのいずれをオンするかヒータ制御手段により制御することによって、第１通路側のヒータをオンして第１通路をデシカントロータを通る再生通路とし、第２通路側のヒータをオフして第２通路を吸着通路とするか、または、第２通路側のヒータをオンして第２通路をデシカントロータを通る再生通路とし、第１通路側のヒータをオフして第１通路を吸着通路とするかを切り換えることができる。
【発明の効果】
【００１８】
以上より明らかなように、この発明の調湿装置によれば、簡単な構成で除湿運転と加湿運転が切り換え可能な低コストな調湿装置を実現できる。
【００１９】
また、一実施形態の調湿装置によれば、第１,第２通路の一部を形成するケース内に設けられた第１,第２通路を仕切る仕切板とヒータとを回動させるという簡単な手段によって、除湿運転と加湿運転が切り換えることができる。
【００２０】
また、一実施形態の調湿装置によれば、第１,第２通路の一部を形成するケースとそのケース内に設けられた第１,第２通路を仕切る仕切板およびヒータを回動させるという簡単な手段によって、除湿運転と加湿運転が切り換えることができる。
【００２１】
また、一実施形態の調湿装置によれば、上記第１通路が、室内からの空気がデシカントロータの第１領域の一方の側から他方の側に通過した後にその第１領域に隣接する第２領域の他方の側から一方の側に通過するように、かつ、上記第２通路が、室外からの空気がデシカントロータの第３領域の一方の側から他方の側に通過した後にその第３領域に隣接する第４領域の他方の側から一方の側に通過する場合、デシカントロータの他方の側をケースで覆い、第１,第２通路を仕切板で仕切るという簡単な構成にすることによって、第１通路の一部である第１経路および第２通路の一部である第２経路を形成することができる。
【００２２】
また、一実施形態の調湿装置によれば、第１通路内のデシカントロータの上流側および第２通路内のデシカントロータの上流側に夫々配置されたヒータのいずれをオンするかヒータ制御手段により制御することによって、機械的な可動機構を付加することなく、除湿運転と加湿運転を切り換えることができる。
【発明を実施するための最良の形態】
【００２３】
以下、この発明の調湿装置を図示の実施の形態により詳細に説明する。
【００２４】
(第１実施形態)
図１はこの発明の第１実施形態の調湿装置の概略構成を示す模式図である。この調湿装置は、図１に示すように、壁３０に取り付けられたケーシング１０内に、回転軸(図示せず)が略水平になるように配置されたデシカントロータ１と、上記デシカントロータ１の一方の平面側を覆う有底の円筒形状をしたケース２と、上記ケース２内の空間を略半分に区切るように、ケース２と一体に形成された仕切板３と、上記ケース２内の仕切板３に仕切られた下側の空間に配置されたヒータ４と、上記ケース２を回動させる回転ギア５と、上記ケース２内の仕切板３に仕切られた上側の空間に面するデシカントロータ１の上側領域を介して室内から空気を室内に戻すための第１通路６と、上記第１通路６のデシカントロータ１の上流側に配置され、室内空気を第１通路６に流す第１ファン７と、上記ケース２内の仕切板３に仕切られた下側の空間に面するデシカントロータ１の下側領域を介して室外から空気を室外に排気するための第２通路８と、上記第２通路８のデシカントロータ１の上流側に配置され、室外空気を第２通路８に流す第２ファン９と、ヒータ４と第１ファン７および第２ファン９などを制御する制御部２０とを備えている。また、上記調湿装置は、切換手段の一例としての回転ギア５を駆動するモータ(図示せず)を備え、円筒形状のケース２の外周に回転ギア５が噛合する外歯ギア(図示せず)を設けている。上記回転ギア５の回転によって、円筒形状のケース２がデシカントロータ１の軸を中心に回動する(ケース２の回動方向は、デシカントロータ１の回転方向(Ｒ1)であってもよいし、その逆であってもよい)。上記ケース２の回動によって、ケース２に設けられた仕切板３とヒータ４も同様に回動する。
【００２５】
上記第１通路６は、室内からの空気がデシカントロータ１の第１領域の一方の側から他方の側に通過した後にその第１領域に隣接するデシカントロータ１の第２領域の他方の側から一方の側に通過するように設けられている。
【００２６】
上記第２通路８の上流側は、壁３０に取り付けられたダクト３０の吸気口３１aを介して室外と連通し、第２通路８の下流側は、ダクト３０の排気口３１bを介して室外と連通している。上記第２通路８は、室外からの空気がデシカントロータ１の第３領域の一方の側から他方の側に通過した後にその第３領域に隣接するデシカントロータ１の第４領域の他方の側から一方の側に通過するように設けられている。
【００２７】
また、上記制御部２０は、マイクロコンピュータと入出力回路などからなり、回転ギア５を駆動するモータ(図示せず)も制御する。
【００２８】
上記構成の調湿装置において、円筒形状のケース２が図１に示す位置であるとき、制御部２０によって、デシカントロータ１を図示しないモータにより矢印Ｒ1の方向に回転させ、第１ファン７と第２ファン９を運転し、さらにヒータ４をオンする。そうすると、第１ファン７により室内から吸い込まれた空気が第１通路６を流れて、デシカントロータ１の第１領域の一方の側(図１中の裏面側)から他方の側(図１中の表面側)に通過した後、第２領域の他方の側から一方の側に通過して、室内空気の水分がデシカントロータ１に吸着して、除湿された空気が室内に戻る。
【００２９】
一方、上記第２ファン９により室外から吸い込まれた空気が第２通路８を流れて、デシカントロータ１の第３領域の一方の側(図１中の裏面側)から他方の側(図１中の表面側)に通過した後、ヒータ４により加熱された空気が第４領域の他方の側から一方の側に通過して、デシカントロータ１から放出された水分を含む空気を室外に排気する。
【００３０】
こうして、上記第１通路６側により除湿運転を行うと共に、第２通路８側によりデシカントロータ１の再生運転を行う。
【００３１】
次に、図２は上記調湿装置において、回転ギア５の回転によって、円筒形状のケース２がデシカントロータ１の軸を中心に１８０度回動させた状態を示す模式図である。このとき、ケース２と共に仕切板３とヒータ４が１８０度回動する。図２に示すように、円筒形状のケース２内において、ヒータ４の位置が図１のときとは軸対称な位置に配置される。
【００３２】
上記調湿装置において、デシカントロータ１を図示しないモータにより矢印Ｒ1の方向に回転させ、第１ファン７と第２ファン９を運転し、さらにヒータ４をオンする。そうすると、上記第１ファン７により室内から吸い込まれた空気が第１通路６を流れて、デシカントロータ１の第１領域の一方の側(図１中の裏面側)から他方の側(図１中の表面側)に通過した後、ヒータ４により加熱された空気が第２領域の他方の側から一方の側に通過して、デシカントロータ１から放出された水分を含む空気を室内に供給して、加湿運転を行う。
【００３３】
一方、上記第２ファン９により室外から吸い込まれた空気が第２通路８を流れて、デシカントロータ１の第３領域の一方の側(図１中の裏面側)から他方の側(図１中の表面側)に通過した後、第４領域の他方の側から一方の側に通過して、空気の水分がデシカントロータ１に吸着して、除湿された空気が室外に排気される。
【００３４】
こうして、上記第１通路６側により加湿運転を行うと共に、第２通路８側によりデシカントロータ１に外気からの水分を補充することにより、無給水加湿運転が可能となる。
【００３５】
図３(a)は図１の除湿運転時のデシカントロータ１の側面図であり、図３(b)は上記デシカントロータ１をヒータ４が配置されている側から見た平面図である。図３(a)に示すように、回転軸１１を中心に回転するデシカントロータ１の一方の平面を覆うケース２内にヒータ４を配置している。上記ヒータ４は、図示しない取り付け金具を用いてケース２に固定されている。
【００３６】
図３(b)に示すように、デシカントロータ１を上半分と下半分に仕切板３により仕切られており、デシカントロータ１の上半分には、中心角が略３０度の扇形状の第１領域１aと中心角が略１５０度の扇形状の第２領域１bに分割されている。一方、デシカントロータ１の下半分には、中心角が略３０度の扇形状の第３領域１c(第１領域１aと同形状)と中心角が略１５０度の扇形状の第４領域１d(第２領域１bと同形状)に分割されている。
【００３７】
上記第１通路６は、第１領域１aの裏面側から表面側を通って再び第２領域１bの表面側から裏面側を通って、第１領域１a,第２領域１bの吸着部で水分を吸着されて除湿された空気がデシカントロータ１の裏面側から供給される。上記デシカントロータ１の表面側の第１領域１aから第２領域１bまでの第１経路は、第１通路６の経路の一部である。
【００３８】
一方、上記第２通路８は、第３領域１cの裏面側から表面側を通って再び第４領域１dの再生部の表面側から裏面側を通って、ヒータ４で加熱された空気が第４領域１dの再生部を通過して、デシカントロータ１の第４領域１dから水分が放出される。上記デシカントロータ１の表面側の第３領域１cから第４領域１dまでの第２経路は、第２通路８の経路の一部である。
【００３９】
図４(a)は図２の加湿運転時のデシカントロータ１の側面図であり、図４(b)は上記デシカントロータ１をヒータ４が配置されている側から見た平面図である。図３(a),(b)に示す構成と同一の構成部には同一参照番号を付して説明を省略する。
【００４０】
図４(a),(b)において、図３(a),(b)と異なるのは、図２に示すようにケース２を回動させた後の状態であり、デシカントロータ１の上半分が再生部となり、下半分が吸着部となると共に、ヒータ４がデシカントロータ１の上半分の再生部側に配置され、加湿空気がデシカントロータ１の裏面側から供給されることである。
【００４１】
このように、上記第１実施形態の調湿装置によれば、簡単な構成で除湿運転と加湿運転が切り換え可能な低コストな調湿装置を実現することができる。
【００４２】
また、上記ケース２と仕切板３およびヒータ４を回動させることによって、除湿運転と加湿運転が簡単に切り換えることができる。
【００４３】
また、上記デシカントロータ１の一方の平面側を覆うようにしたケース２およびそのケース２内に第１通路６,８を仕切るように形成された仕切板３の簡単な構成で、第１通路６の一部である第１経路と第２通路８の一部である第２経路を形成することができる。
【００４４】
上記第１実施形態では、ケース２と共に仕切板３とヒータ４をいっしょに回動させたが、ケースを固定して、仕切板とヒータのみを回動させてもよい。
【００４５】
(第２実施形態)
図５はこの発明の第２実施形態の調湿装置の概略構成を示す模式図である。この第２実施形態の調湿装置は、ケースと２つのヒータの構成などを除いて第１実施形態の調湿装置と同一の構成をしており、同一構成部は同一参照番号を付して説明を省略する。
【００４６】
図５に示すように、ケース２内の第１通路６にヒータ４Ａが配置され、ケース２内の第２通路８にヒータ４Ｂが配置されている。このケース２は、上記第１実施形態の調湿装置と異なり、回動しない。そして、制御部２０は、ヒータ４Ａ,４Ｂのいずれか一方をオンし他方をオフする切換手段の一例としてのヒータ制御手段２０aを有している。
【００４７】
上記構成の調湿装置において、ヒータ制御手段２０aによりヒータ４Ａをオンし、制御部２０によって、デシカントロータ１を図示しないモータにより矢印Ｒ1の方向に回転させ、第１ファン７と第２ファン９を運転する。そうすると、第１ファン７により室内から吸い込まれた空気が第１通路６を流れて、デシカントロータ１の第１領域の一方の側(図５中の裏面側)から他方の側(図５中の表面側)に通過した後、第２領域の他方の側から一方の側に通過して、室内空気の水分がデシカントロータ１に吸着して、除湿された空気が室内に戻る。
【００４８】
一方、上記第２ファン９により室外から吸い込まれた空気が第２通路８を流れて、デシカントロータ１の第３領域の一方の側(図５中の裏面側)から他方の側(図５中の表面側)に通過した後、ヒータ４により加熱された空気が第４領域の他方の側から一方の側に通過して、デシカントロータ１から放出された水分を含む空気を室外に排気する。
【００４９】
こうして、上記第１通路６側により除湿運転を行うと共に、第２通路８側によりデシカントロータ１の再生運転を行う。
【００５０】
また、上記ヒータ制御手段２０aによりヒータ４Ｂをオンし、制御部２０によって、デシカントロータ１を図示しないモータにより矢印Ｒ1の方向に回転させ、第１ファン７と第２ファン９を運転する。そうすると、上記第１ファン７により室内から吸い込まれた空気が第１通路６を流れて、デシカントロータ１の第１領域の一方の側(図５中の裏面側)から他方の側(図５中の表面側)に通過した後、ヒータ４により加熱された空気が第２領域の他方の側から一方の側に通過して、デシカントロータ１から放出された水分を含む空気を室内に供給して、加湿運転を行う。
【００５１】
一方、上記第２ファン９により室外から吸い込まれた空気が第２通路８を流れて、デシカントロータ１の第３領域の一方の側(図５中の裏面側)から他方の側(図５中の表面側)に通過した後、第４領域の他方の側から一方の側に通過して、空気の水分がデシカントロータ１に吸着して、除湿された空気が室外に排気される。
【００５２】
こうして、上記第１通路６側により加湿運転を行うと共に、第２通路８側によりデシカントロータ１に外気からの水分を補充することにより、無給水加湿運転が可能となる。
【００５３】
このように、上記第２実施形態の調湿装置によれば、簡単な構成で除湿運転と加湿運転が切り換え可能な低コストな調湿装置を実現することができる。
【００５４】
また、第１通路６内のデシカントロータ１の上流側および第２通路８内のデシカントロータ１の上流側に夫々配置されたヒータ４Ａ,４Ｂのいずれをオンするかヒータ制御手段２０aにより制御することによって、機械的可動部なしに除湿運転と加湿運転を簡単に切り換えることができる。
【００５５】
上記第１,第２実施形態では、ケース２(２２)と仕切板３の簡単な構成により、第１通路６の一部と第２通路８の一部を形成したが、ケースと仕切板の構成はこれに限らず、第１通路をヒータを介してデシカントロータを通る再生通路とし第２通路を吸着通路とするか、または、第２通路をヒータを介してデシカントロータを通る再生通路とし第１通路を吸着通路とするかを切り換え可能な構成であればよい。
【００５６】
また、上記第１,第２実施形態では、ケース２(２２)に一体に形成された仕切板３は、デシカントロータ１の回転軸に対して軸対称な形状としたが、仕切板の形状はこれに限らず、風通路やケースの構成などに応じて適宜設計すればよい。
【図面の簡単な説明】
【００５７】
【図１】図１はこの発明の第１実施形態の調湿装置の概略構成を示す模式図である。
【図２】図２は上記調湿装置のケースを１８０度回転させた状態を示す模式図である
【図３】図３(a)は図１の除湿運転時のデシカントロータの側面図であり、図３(b)は上記デシカントロータをヒータが配置されている側から見た平面図である。
【図４】図４(a)は図１の加湿運転時のデシカントロータの側面図であり、図４(b)は上記デシカントロータをヒータが配置されている側から見た平面図である。
【図５】図５はこの発明の第２実施形態の調湿装置の概略構成を示す模式図である。
【図６】図６は従来の調湿装置の概略を示す模式図である。
【符号の説明】
【００５８】
１…デシカントロータ
１a…第１領域
１b…第２領域
１c…第３領域
１d…第４領域
２,２２…ケース
３…仕切板
４…ヒータ
５…回転ギア
６…第１通路
７…第１ファン
８…第２通路
９…第２ファン
１０…ケーシング
１１…回転軸
２０…制御部
２０a…ヒータ制御手段
３０…壁
３１…ダクト
３１a…吸気口
３１b…排気口
【図１】
2005140392.tif 000003
【図２】
2005140392.tif 000004
【図３】
2005140392.tif 000005
【図４】
2005140392.tif 000006
【図５】
2005140392.tif 000007
【図６】
2005140392.tif 000008